(57)【要約】【課題】  上部板ばねを、ケースの内部に高精度に位置決めして固定することができるレンズ駆動装置、前記レンズ駆動装置を使用したカメラモジュールおよびレンズ駆動装置の製造方法を提供する。【解決手段】  ケース３の内部に、支持部材５０と上部板ばね３０を挿入する。上部板ばね３０の側面対向部３１ａの両端部に、その外縁部から突出する突出部３４を形成する。突出部３４と側面壁部３ｄの内面との対向部を基準として、ケース３内で上部板ばね３０が位置決めされる。その後、接着剤で、ケース３と支持部材５０との間、および支持部材５０と上部板ばね３０との間を固定する。【選択図】図７
2019003149.tif 000002
【特許請求の範囲】
【請求項１】
支持基台と、前記支持基台を覆うケースと、少なくとも一部が前記ケースの内部に位置してレンズ体を搭載可能なレンズ保持部材と、前記レンズ保持部材を前記レンズ体の光軸方向へ移動自在に支持する板ばねと、前記レンズ保持部材に搭載されたコイルと、前記ケース内に設けられて前記コイルに対向する磁石と、を備え、
前記板ばねには、前記ケースの内部側に固定される固定側支持部と、前記レンズ保持部材に固定される可動側支持部と、前記固定側支持部と前記可動側支持部とを連結する弾性腕部とが、一体に形成されているレンズ駆動装置において、
前記板ばねの前記固定側支持部は、前記ケースの内面に沿う外縁部を有し、前記外縁部から前記ケースの内面に向けて突出する複数の突出部が、間隔を空けて設けられていることを特徴とするレンズ駆動装置。
【請求項２】
前記ケースは、平面視が矩形状で、４つの側面壁部と、角部に位置する角面壁部と、天井部と、前記天井部に形成された開口部とを有し、
前記板ばねの前記固定側支持部は、前記側面壁部に対向する側面対向部と、前記角面壁部に対向する角面対向部とを有しており、
それぞれの前記側面対向部の中央部を除く少なくとも２か所に、前記側面壁部の内面に対向する前記突出部が一体に形成されている請求項１記載のレンズ駆動装置。
【請求項３】
前記ケースの内部に、前記天井部に対向する支持部材が設けられ、前記支持部材の前記支持基台側に向くばね固定面に、前記固定側支持部が当接しており、前記ケースと前記支持部材との間、および前記支持部材と前記固定側支持部との間が、接着剤で固定されている請求項２記載のレンズ駆動装置。
【請求項４】
前記角面対向部の両側に位置する２か所の前記突出部の間で、前記固定側支持部の前記外縁部と前記ケースの内面との間に隙間が形成されており、前記隙間内に、前記接着剤の一部が存在している請求項３記載のレンズ駆動装置。
【請求項５】
前記ばね固定面は、前記側面対向部の中央部を除く少なくとも２か所に対応するように、前記支持部材に設けられており、前記ばね固定面が設けられていない領域で、前記側面対向部と前記支持部材とが離れている請求項３または４記載のレンズ駆動装置。
【請求項６】
前記板ばねの前記弾性腕部は、前記側面対向部から延び出ており、前記弾性腕部が前記ばね固定面と重なることなく、前記側面対向部のうちの前記弾性腕部が延び出ている部分が前記ばね固定面に重ねられて接着されている請求項５記載のレンズ駆動装置。
【請求項７】
前記支持部材には、前記板ばねの前記角面対向部と前記弾性腕部との間に位置して、前記板ばねよりも前記天井部から離れる側に位置する磁石当接部が形成されており、
前記磁石は、前記磁石当接部に当接して、前記ケースの内面に接着されている請求項３ないし６のいずれかに記載のレンズ駆動装置。
【請求項８】
前記磁石と前記弾性腕部は、互いに離れた状態で、前記光軸と平行な方向で対向している請求項７記載のレンズ駆動装置。
【請求項９】
前記支持部材は、前記側面壁部の内面に対向する側部支持部と、前記角面壁部の内面に対向する角部支持部とを有しており、前記磁石当接部が前記角部支持部に形成されている請求項７または８記載のレンズ駆動装置。
【請求項１０】
前記側部支持部の中央部を除く少なくとも２か所に、前記側面壁部の内面に対向する支持突部が設けられている請求項９記載のレンズ駆動装置。
【請求項１１】
前記請求項１ないし１０のいずれかに記載のレンズ駆動装置と、前記レンズ駆動装置の前記レンズ保持部材に保持されたレンズ体と、前記レンズ体に対向する撮像素子と、を有することを特徴とするカメラモジュール。
【請求項１２】
支持基台と、前記支持基台を覆うケースと、少なくとも一部が前記ケースの内部に位置してレンズ体を搭載可能なレンズ保持部材と、前記レンズ保持部材を前記レンズ体の光軸方向へ移動自在に支持する板ばねと、前記レンズ保持部材に搭載されたコイルと、前記ケース内に設けられて前記コイルに対向する磁石と、を備え、
前記板ばねには、前記ケースの内部側に固定される固定側支持部と、前記レンズ保持部材に固定される可動側支持部と、前記固定側支持部と前記可動側支持部とを連結する弾性腕部とが、一体に形成されているレンズ駆動装置の製造方法において、
前記板ばねは、前記固定側支持部の前記ケースの内面に沿う外縁部に、前記ケースの内面に向けて突出する複数の突出部が、間隔を空けて設けられたものであり、
前記ケースの内部に、支持部材と前記板ばねを配置するとともに、前記支持部材の前記支持基台側に向くばね固定面に、前記固定側支持部を当接させ、少なくとも前記突出部が形成されていない領域で、前記固定側支持部の前記外縁部と前記ケースの内面との間に接着剤を供給して、前記ケースと前記支持部材との間、および前記支持部材と前記固定側支持部との間を、接着剤で固定することを特徴とするレンズ駆動装置の製造方法。
【請求項１３】
前記ケースは、平面視が矩形状であり、４つの側面壁部と、角部に位置する角面壁部と、天井部と、前記天井部に形成された開口部とを有し、
前記板ばねの前記固定側支持部は、前記側面壁部に対向する側面対向部と、前記角面壁部に対向する角面対向部とを有しており、
それぞれの前記側面対向部の中央部を除く少なくとも２か所に、前記側面壁部の内面に対向する前記突出部が一体に形成されており、
前記天井部の内側に前記支持部材を固定する請求項１２記載のレンズ駆動装置の製造方法。
【請求項１４】
前記角面対向部の両側に位置する２か所の前記突出部の間で、前記固定側支持部の前記外縁部と前記ケースの内面との間に隙間を形成し、前記隙間内に、前記接着剤の一部を存在させる請求項１３記載のレンズ駆動装置の製造方法。
【請求項１５】
前記ばね固定面は、前記側面対向部の中央部を除く少なくとも２か所に対応するように、前記支持部材に設けられており、前記ばね固定面が設けられていない領域で、前記側面対向部と前記支持部材とを離れさせる請求項１３または１４記載のレンズ駆動装置の製造方法。
【請求項１６】
前記板ばねの前記弾性腕部は、前記側面対向部から延び出るように形成されており、前記弾性腕部を前記ばね固定面と重ねることなく、前記側面対向部のうちの前記弾性腕部が延び出ている部分を前記ばね固定面に重ねて接着する請求項１５記載のレンズ駆動装置の製造方法。
【請求項１７】
前記支持部材には、前記板ばねの前記角面対向部と前記弾性腕部との間に位置して、前記板ばねよりも前記天井部から離れる側に位置する磁石当接部が形成されており、
前記磁石を、前記磁石当接部に当接させて、前記磁石と前記ケースの内面とを接着する請求項１３ないし１６のいずれかに記載のレンズ駆動装置の製造方法。
【請求項１８】
前記ケースと前記支持部材との間および前記支持部材と前記固定側支持部との間を固定する接着剤と、前記磁石と前記ケースの内面とを固定する接着剤とを、同じ加熱工程で硬化させる請求項１７記載のレンズ駆動装置の製造方法。
【請求項１９】
前記磁石と前記弾性腕部とを、互いに離れた状態で、前記光軸と平行な方向で対向させる請求項１７または１８記載のレンズ駆動装置の製造方法。
【請求項２０】
前記支持部材は、前記側面壁部の内面に対向する側部支持部と、前記角面壁部の内面に対向する角部支持部とを有しており、前記磁石当接部が前記角部支持部に形成されている請求項１７ないし１９のいずれかに記載のレンズ駆動装置の製造方法。
【請求項２１】
前記側部支持部には、前記側面壁部の内面に対向する支持突部が、前記側部支持部の中央部を除く少なくとも２か所に設けられている請求項２０記載のレンズ駆動装置の製造方法。
【発明の詳細な説明】
【技術分野】
【０００１】
本発明は、ケース内に、レンズ保持部材と、このレンズ保持部材を支持する板ばねとが収納されているレンズ駆動装置、前記レンズ駆動装置を使用したカメラモジュールおよびレンズ駆動装置の製造方法に関する。
【背景技術】
【０００２】
特許文献１に、レンズ駆動装置に関する発明が記載されている。
このレンズ駆動装置は、ベース部材と、ベース部材を覆うヨークとが設けられている。ヨークの天井の内側にスペーサ部材が固定されて、上側板ばねがスペーサ部材の下面に固定されている。ベース部材には、一対の下側板ばねが固定されている。ケースの内部に、コイルを有するレンズ保持部材が収納されており、レンズ保持部材が、上側板ばねと下側板ばねとで、レンズの光軸方向へ移動自在に支持されている。
【０００３】
ケースの内部に磁石が固定されており、磁石がコイルの外側に対向している。駆動電流は、一対の下側板ばねを通じてコイルに通電される。コイルに流れる駆動電流と、コイルに対向する磁石からの磁界によって、レンズ保持部材がレンズの光軸方向へ移動させられ、この動作によって、撮像素子への像の焦点が合わせられる。
【先行技術文献】
【特許文献】
【０００４】
【特許文献１】実用新案登録第３１８２０６５号公報
【発明の概要】
【発明が解決しようとする課題】
【０００５】
この種のレンズ駆動装置は、ヨークの１辺が１０ｍｍ程度あるいはそれ以下の小型である。そこで、上側板ばねはエッチング工程などで精密に製造されて、外縁部などの寸法精度がかなり高く加工されている。これに対し、ヨークは箱型形状であり、磁性材料の金属板でプレス工程により製造されるため、その寸法精度は、上側板ばねに比べてラフにならざるを得ない。特に、ヨークの側壁部の平面度を高くするのには限界がある。側壁部の中央部が公差範囲内で外側へ向けて湾曲していると、上側板ばねの中心と、ヨークの中心との間にずれが発生しやすくなり、側壁部の中央部が公差範囲内で内側に向けて湾曲していると、上側板ばねをケース内に装着できない可能性もある。
【０００６】
また、特許文献１に記載されたレンズ駆動装置のように、ヨークの天井部の内側にスペーサ部材を固定し、スペーサ部材に上側板ばねを固定している構造では、ヨークの内部空間が狭いため、ヨークの天井部とスペーサ部材との間と、スペーサ部材と上側板ばねの間の双方に、適量な接着剤を供給して接着させる作業も難しい。また、上部板ばねの弾性腕部に接着剤を付着させると上側板ばねの弾性係数に影響を与えることになるため、弾性腕部に接着剤を付着させずに、スペーサ部材と上側板ばねを接着する作業も困難である。
【０００７】
本発明は、上記従来の課題を解決するものであり、ケースの内部で板ばねを位置決めして接着しやすくできるレンズ駆動装置、前記レンズ駆動装置を使用したカメラモジュールおよびレンズ駆動装置の製造方法を提供することを目的としている。
【課題を解決するための手段】
【０００８】
本発明は、支持基台と、前記支持基台を覆うケースと、少なくとも一部が前記ケースの内部に位置してレンズ体を搭載可能なレンズ保持部材と、前記レンズ保持部材を前記レンズ体の光軸方向へ移動自在に支持する板ばねと、前記レンズ保持部材に搭載されたコイルと、前記ケース内に設けられて前記コイルに対向する磁石と、を備え、
前記板ばねには、前記ケースの内部側に固定される固定側支持部と、前記レンズ保持部材に固定される可動側支持部と、前記固定側支持部と前記可動側支持部とを連結する弾性腕部とが、一体に形成されているレンズ駆動装置において、
前記板ばねの前記固定側支持部は、前記ケースの内面に沿う外縁部を有し、前記外縁部から前記ケースの内面に向けて突出する複数の突出部が、間隔を空けて設けられていることを特徴とするものである。
【０００９】
本発明のレンズ駆動装置は、例えば、前記ケースが、平面視が矩形状で、４つの側面壁部と、角部に位置する角面壁部と、天井部と、前記天井部に形成された開口部とを有し、
前記板ばねの前記固定側支持部は、前記側面壁部に対向する側面対向部と、前記角面壁部に対向する角面対向部とを有しており、
それぞれの前記側面対向部の中央部を除く少なくとも２か所に、前記側面壁部の内面に対向する前記突出部が一体に形成されているものである。
【００１０】
本発明のレンズ駆動装置は、前記ケースの内部に、前記天井部に対向する支持部材が設けられ、前記支持部材の前記支持基台側に向くばね固定面に、前記固定側支持部が当接しており、前記ケースと前記支持部材との間、および前記支持部材と前記固定側支持部との間が、接着剤で固定されているものである。
【００１１】
本発明のレンズ駆動装置は、前記角面対向部の両側に位置する２か所の前記突出部の間で、前記固定側支持部の前記外縁部と前記ケースの内面との間に隙間が形成されており、前記隙間内に、前記接着剤の一部が存在していることが好ましい。
【００１２】
本発明のレンズ駆動装置は、前記ばね固定面は、前記側面対向部の中央部を除く少なくとも２か所に対応するように、前記支持部材に設けられており、前記ばね固定面が設けられていない領域で、前記側面対向部と前記支持部材とが離れていることが好ましい。
【００１３】
本発明のレンズ駆動装置は、前記板ばねの前記弾性腕部は、前記側面対向部から延び出ており、前記弾性腕部が前記ばね固定面と重なることなく、前記側面対向部のうちの前記弾性腕部が延び出ている部分が前記ばね固定面に重ねられて接着されていることが好ましい。
【００１４】
本発明のレンズ駆動装置は、前記支持部材には、前記板ばねの前記角面対向部と前記弾性腕部との間に位置して、前記板ばねよりも前記天井部から離れる側に位置する磁石当接部が形成されており、
前記磁石は、前記磁石当接部に当接して、前記ケースの内面に接着されているものとして構成できる。
この場合に、前記磁石と前記弾性腕部は、互いに離れた状態で、前記光軸と平行な方向で対向していることが好ましい。
【００１５】
本発明のレンズ駆動装置は、前記支持部材が、前記側面壁部の内面に対向する側部支持部と、前記角面壁部の内面に対向する角部支持部とを有しており、前記磁石当接部が前記角部支持部に形成されているものである。
そして、前記側部支持部の中央部を除く少なくとも２か所に、前記側面壁部の内面に対向する支持突部が設けられていることが好ましい。
【００１６】
さらに、本発明のカメラモジュールは、前記いずれかのレンズ駆動装置と、前記レンズ駆動装置の前記レンズ保持部材に保持されたレンズ体と、前記レンズ体に対向する撮像素子と、を有することを特徴とするものである。
【００１７】
さらに、本発明は、支持基台と、前記支持基台を覆うケースと、少なくとも一部が前記ケースの内部に位置してレンズ体を搭載可能なレンズ保持部材と、前記レンズ保持部材を前記レンズ体の光軸方向へ移動自在に支持する板ばねと、前記レンズ保持部材に搭載されたコイルと、前記ケース内に設けられて前記コイルに対向する磁石と、を備え、
前記板ばねには、前記ケースの内部側に固定される固定側支持部と、前記レンズ保持部材に固定される可動側支持部と、前記固定側支持部と前記可動側支持部とを連結する弾性腕部とが、一体に形成されているレンズ駆動装置の製造方法において、
前記板ばねは、前記固定側支持部の前記ケースの内面に沿う外縁部に、前記ケースの内面に向けて突出する複数の突出部が、間隔を空けて設けられたものであり、
前記ケースの内部に、支持部材と前記板ばねを配置するとともに、前記支持部材の前記支持基台側に向くばね固定面に、前記固定側支持部を当接させ、少なくとも前記突出部が形成されていない領域で、前記固定側支持部の前記外縁部と前記ケースの内面との間に接着剤を供給して、前記ケースと前記支持部材との間、および前記支持部材と前記固定側支持部との間を、接着剤で固定することを特徴とするものである。
【００１８】
本発明のレンズ駆動装置の製造方法は、前記ケースが、平面視が矩形状であり、４つの側面壁部と、角部に位置する角面壁部と、天井部と、前記天井部に形成された開口部とを有し、
前記板ばねの前記固定側支持部は、前記側面壁部に対向する側面対向部と、前記角面壁部に対向する角面対向部とを有しており、
それぞれの前記側面対向部の中央部を除く少なくとも２か所に、前記側面壁部の内面に対向する前記突出部が一体に形成されており、
前記天井部の内側に前記支持部材を固定するものである。
【００１９】
本発明のレンズ駆動装置の製造方法は、前記角面対向部の両側に位置する２か所の前記突出部の間で、前記固定側支持部の前記外縁部と前記ケースの内面との間に隙間を形成し、前記隙間内に、前記接着剤の一部を存在させるものである。
【００２０】
本発明のレンズ駆動装置の製造方法は、前記ばね固定面は、前記側面対向部の中央部を除く少なくとも２か所に対応するように、前記支持部材に設けられており、前記ばね固定面が設けられていない領域で、前記側面対向部と前記支持部材とを離れさせることが好ましい。
【００２１】
本発明のレンズ駆動装置の製造方法は、前記板ばねの前記弾性腕部は、前記側面対向部から延び出るように形成されており、前記弾性腕部を前記ばね固定面と重ねることなく、前記側面対向部のうちの前記弾性腕部が延び出ている部分を前記ばね固定面に重ねて接着することが好ましい。
【００２２】
本発明のレンズ駆動装置の製造方法は、前記支持部材には、前記板ばねの前記角面対向部と前記弾性腕部との間に位置して、前記板ばねよりも前記天井部から離れる側に位置する磁石当接部が形成されており、
前記磁石を、前記磁石当接部に当接させて、前記磁石と前記ケースの内面とを接着することが好ましい。
【００２３】
さらに、本発明のレンズ駆動装置の製造方法は、前記ケースと前記支持部材との間および前記支持部材と前記固定側支持部との間を固定する接着剤と、前記磁石と前記ケースの内面とを固定する接着剤とを、同じ加熱工程で硬化させることが好ましい。
【００２４】
本発明のレンズ駆動装置の製造方法は、前記磁石と前記弾性腕部とを、互いに離れた状態で、前記光軸と平行な方向で対向させることができる。
【００２５】
本発明のレンズ駆動装置の製造方法は、前記支持部材は、前記側面壁部の内面に対向する側部支持部と、前記角面壁部の内面に対向する角部支持部とを有しており、前記磁石当接部が前記角部支持部に形成されているものである。
前記側部支持部には、前記側面壁部の内面に対向する支持突部が、前記側部支持部の中央部を除く少なくとも２か所に設けられていることが好ましい。
【発明の効果】
【００２６】
本発明のレンズ駆動装置は、板ばねの固定側支持部の外縁部に、間隔を空けて複数の突出部を形成したため、突出部とケースの内面との当接または近接により、ケース内で板ばねを、位置決めして固定することができる。例えば、板ばねに側面対向部と角面対向部を形成し、側面対向部の中央部を除く少なくとも２か所に間隔を空けて突出部を形成することで、ケースの側面壁部の中央部において平面度に寸法公差があっても、突出部と側面壁部の中央部の外側に位置する内面との当接部または近接部を基準にして、ケースと板ばねとを位置決めすることができる。
【００２７】
本発明のレンズ駆動装置の製造方法は、板ばねの固定側支持部の突出部が形成されていない領域で、固定側支持部の外縁部とケースの内面との隙間に接着剤を供給することで、ケースと支持部材との間、および支持部材と板ばねの固定側支持部との間に、適量の接着剤を供給して接着することができる。
【図面の簡単な説明】
【００２８】
【図１】本発明の実施の形態のレンズ駆動装置の外観を示す斜視図、
【図２】図１に示すレンズ駆動装置の構成部品を示す分解斜視図、
【図３】図１に示すレンズ駆動装置の下部に設けられる、支持基台と下部板ばねとレンズ保持部材との組立体を示す分解斜視図、
【図４】図３に示す構成部品が組み立てられた組立体を、支持基台を除去して下方から見た底面図、
【図５】図１に示すレンズ駆動装置をＶ−Ｖ線で切断した断面図、
【図６】レンズ駆動装置を図５のＶＩ−ＶＩ線で切断したものを下方から見た断面図、
【図７】図６に示す断面図からレンズ保持部材と磁石を除去した断面図、
【図８】図７の図示左上部分を拡大する拡大図、
【図９】図８の構成部品を示す分解斜視図、
【発明を実施するための形態】
【００２９】
図１と図２および図５に、本発明の実施の形態のレンズ駆動装置１の全体構造が示されており、図３に、下部に位置する支持基台と下部板ばねとレンズ保持部材との組立体７０が示されている。
【００３０】
レンズ駆動装置１はレンズ保持部材１０を有している。レンズ保持部材１０は、合成樹脂材料で射出成型されて形成されている。図３に示すように、レンズ保持部材１０は、筒状部１３を有している。筒状部１３は比較的薄肉の円筒体であり、Ｚ１−Ｚ２方向に連続する中心穴１３ａを有している。筒状部１３の中心穴１３ａにレンズ体（レンズバレルまたは鏡筒）が装着される。レンズ体は、１枚のレンズまたは複数枚のレンズを組み合わせたレンズ組と、前記レンズまたは前記レンズ組を保持したレンズホルダとから構成される。例えば、中心穴１３ａに雌ねじ部が形成され、レンズホルダの外周面に雄ねじ部が形成されて、雄ねじ部が雌ねじ部に螺着されることで、レンズ体が筒状部１３の内部に装着されて搭載される。あるいは、レンズ体が中心穴１３ａの内部に挿入され、レンズ体と筒状部１３の内面とが接着剤で固定される。
【００３１】
各図に示すＺ１−Ｚ２方向は、上下方向であり、レンズ体の光軸Ｏと平行な方向（光軸方向）である。図１と図２および図５に全体構造を示すレンズ駆動装置１は、携帯電話などの携帯用電子機器に搭載される。レンズ駆動装置１よりもＺ２側に、ＣＣＤなどの撮像素子が配置される。レンズ駆動装置１と、レンズ体および撮像素子とが組み合わされてカメラモジュールが構成される。カメラモジュールでは、レンズ保持部材１０とこれに搭載されたレンズ体がＺ１−Ｚ２方向へ移動することによって、撮像素子に結像する像の自動焦点合わせが行われる。
【００３２】
図１と図２および図３に示すように、レンズ駆動装置１に、支持基台４０とケース３とが設けられている。支持基台４０とケース３とが組み合わされて、内部に収納空間を有するハウジングが構成される。内部空間に収納されたレンズ保持部材１０の下部と支持基台４０との間に下部板ばね２０Ａ，２０Ｂが設けられ、レンズ保持部材１０の上部とケース３の内部との間に上部板ばね３０が設けられている。
【００３３】
図１と図２に示すように、ケース３は、磁性を有する鉄鋼板（普通鋼による鋼板）などで形成されて磁性ヨークとして機能している。ケース３は天井部３ａを有している。ケース３の天井部３ａに開口部３ｂが形成されている。ケース３の開口部３ｂは、前記レンズ保持部材１０の中心穴１３ａに対して上方から対向している。
【００３４】
ケース３は、光軸方向から見た平面形状が四角形状（矩形状）であり、外壁部として、４つの側面壁部３ｄと、ケース３の角部に位置してそれぞれの側面壁部３ｄどうしを連続させる角面壁部３ｅとが設けられている。天井部３ａに形成された開口部３ｂの平面形状は四角形状であり、開口部３ｂの内縁の４つの角部からは、それぞれＺ２方向に向けて折り曲げられた対向ヨーク部３ｃが一体に形成されている。図９に示すように、対向ヨーク部３ｃは、それぞれの角面壁部３ｅの内面に対してケース内側から対向している。
【００３５】
図２と図５に示すように、ケース３の内部には、天井部３ａのＺ２側である内側（内面側）に支持部材（ばね固定部材）５０が設けられている。支持部材５０は合成樹脂材料などの非磁性材料で形成されている。支持部材５０は矩形の枠形状であり、４つの側部支持部５１と、４か所の角部に位置する角部支持部５２とを有している。側部支持部５１は、ケース３の側面壁部３ｄの内面と対向しており、角部支持部５２は、ケース３の角面壁部３ｅの内面に対向する。４か所の角部支持部５２のそれぞれに、ケース当接部５３が形成されている。図５と図９に示すように（図９は上下逆に示している）、ケース当接部５３は、角部支持部５２に設けられ、あるいは角部支持部５２と側部支持部５１との境界部に設けられている。ケース当接部５３は、支持部材５０の側部支持部５１の上面５１ａよりもＺ１方向に突出して形成されている。
【００３６】
支持部材５０のそれぞれの側部支持部５１に、ケース３の側面壁部３ｄに向けて突出する支持突部５４が形成されている。図７と図８に示すように、支持突部５４は、支持部材５０の側部支持部５１の外辺部５１ｃから側面壁部３ｄの内面に向けて突出して形成されている。支持突部５４は、それぞれの側部支持部５１の少なくとも２か所に設けられ、側部支持部５１の中央部には設けられていないことが好ましい。実施の形態では、支持突部５４がそれぞれの側部支持部５１の両端部にのみ設けられており、側部支持部５１の中央部には設けられていない。
【００３７】
図５と図９に示すように、支持部材５０に形成された側部支持部５１のＺ２方向に向く下面５１ｂに、ばね固定面５５が設けられている。ばね固定面５５は、側部支持部５１の下面５１ｂよりもさらに下方であるＺ２側へ突出して形成されており、その表面は、Ｘ−Ｙ平面と平行な平坦面である。ばね固定面５５は、それぞれの側部支持部５１の下面５１ｂの少なくとも２か所に設けられ、側部支持部５１の中央部には設けられていないことが好ましい。実施の形態では、ばね固定面５５が、側部支持部５１の両端部にのみ設けられており、側部支持部５１の中央部には設けられていない。
【００３８】
ばね固定面５５は、後述する上部板ばね３０に形成された固定側支持部３１の側面対向部３１ａと当接して接着固定される部分である。このばね固定面５５は、側面対向部３１ａの中央部を除く少なくとも２か所に対応するように、支持部材５０の側部支持部５１から下方へ突出して形成されている。このため、支持部材５０の中央部に反りが発生した場合でも、上部板ばね３０の側面対向部３１ａをばね固定面５５で適切に受けることができる。
【００３９】
図７と図９に示すように、支持部材５０の４か所の角部支持部５２には、それぞれ下方（Ｚ２方向）に向けて隆起（突出）する支持隆起部５６が一体に形成されている。支持隆起部５６はＺ２側から見た平面視が台形状である。支持隆起部５６の下方に向く表面の２か所に、Ｚ２方向に突出する磁石当接部５７が形成されている。磁石当接部５７のＺ２方向に向く表面は、Ｘ−Ｙ平面と平行な磁石当接面である。
【００４０】
図２と図５および図７に示すように、支持部材５０のＺ２方向に向く下面に、上部板ばね３０が固定されている。上部板ばね３０は、四角形状をなした枠形状の固定側支持部３１と、その内側でＹ１側とＹ２側に位置する一対の可動側支持部３２、および固定側支持部３１と可動側支持部３２をそれぞれ２か所で繋ぐ弾性腕部３３とが、板ばね金属材料で一体に形成されている。上部板ばね３０はエッチング加工で形成されている。上部板ばね３０は、レンズ駆動装置１が組み立てられた際に、厚さ方向が光軸方向となるように配置される。
【００４１】
上部板ばね３０の固定側支持部３１には、Ｘ方向とＹ方向に向けて直線的に延びる帯状の側面対向部３１ａと、４つの角部に位置する角面対向部３１ｂとが連続して一体に形成されている。側面対向部３１ａは、Ｘ方向とＹ方向に直線的に延びる部分であって、ケース３の側面壁部３ｄの内面に対向する部分を意味している。角面対向部３１ｂは、ケース３の角面壁部３ｅの内面に対向する部分を意味している。なお、ケース３の側面壁部３ｄは、ケース３の側方の外壁部のうちの平坦な部分を意味し、角面壁部３ｅは、隣り合う側面壁部３ｄの間に位置してケース３の側方の外壁部が曲面形状となっている部分を意味している。
【００４２】
図７と図８および図９に示すように、固定側支持部３１の複数箇所に、固定側支持部３１の外縁部３１ｃからケース３の側面壁部３ｄの内面に向かって突出する突出部３４が形成されている。突出部３４は、それぞれの側面対向部３１ａの少なくとも２か所に形成され、それぞれの側面対向部３１ａの中央部には、突出部３４が形成されていないことが好ましい。実施の形態では、側面対向部３１ａの両端部のみに突出部３４が形成されている。また、一対の突出部３４の間、すなわち側面対向部３１ａの中央部には突出部３４が設けられていない。図８に示すように、固定側支持部３１の角面対向部３１ｂの両側の２か所に位置する突出部３４の間の領域Ｗにも、突出部３４は設けられておらず、領域Ｗでは、上部板ばね３０の外縁部とケース３の内面との間に隙間δａが形成されている。
【００４３】
弾性腕部３３は、細い湾曲形状すなわち蛇行形状に成形されている。Ｙ１側に位置する２つの弾性腕部３３は、固定側支持部３１においてＹ１側に形成された側面対向部３１ａから、全体として上部板ばね３０の内側である中央部に向けて突出し、Ｙ２側に位置する２つの弾性腕部３３は、固定側支持部３１においてＹ２側に形成された側面対向部３１ａから全体として中央部側に向けて突出している。それぞれの弾性腕部３３の根元部、すなわち側面対向部３１ａと弾性腕部３３との境界部を符号３３ａで示している。
【００４４】
図７と図８に示すように、ケース３の天井部３ａの内面に支持部材５０が設置され、支持部材５０の下面側であるＺ２側に上部板ばね３０が設置される。支持部材５０は、Ｚ１側に設けられたケース当接部５３が、ケース３の天井部３ａの内面に突き当てられ、上部板ばね３０は、固定側支持部３１の側面対向部３１ａの上面が、支持部材５０のばね固定面５５に突き当てられる。
【００４５】
図７と図８に示すように、上部板ばね３０の角面対向部３１ｂと弾性腕部３３との間に、支持部材５０に形成された台形状の支持隆起部５６が入り込んでいる。支持隆起部５６が、角面対向部３１ｂと弾性腕部３３との間に入り込むことで、支持部材５０と上部板ばね３０とが互いに位置決めされる。
【００４６】
ケース当接部５３を天井部３ａの内面に突き当てることで、ケース３の内部で支持部材５０を光軸Ｏ方向に向けて位置決めすることができる。ケース３はプレス加工で製造されるため、天井部３ａの角部およびその近傍での寸法精度が比較的高くなっている。ケース当接部５３は、支持部材５０の角部支持部５２に形成され、ケース当接部５３が、矩形状の天井部３ａの角部に突き当てられる。そのため、ケース３内で支持部材５０を光軸方向に向けて高精度に位置決めすることができる。また、支持部材５０に形成された全てのばね固定面５５の平面度を高く維持することができ、ばね固定面５５に突き当てられる上部板ばね３０も、光軸Ｏに対する垂直度を高く維持して設置できるようになる。
【００４７】
一方で、図５に示すように、ケース３の角部以外では、支持部材５０の上面すなわち側部支持部５１の上面５１ａと天井部３ａとの間に隙間δ１が形成されている。したがって、天井部３ａの平面度の公差の影響を受けることがなく、支持部材５０をケース３内で光軸方向に位置決めすることができる。
【００４８】
図７と図８に示すように、支持部材５０と上部板ばね３０とがケース３の天井部３ａの内側に設置されると、支持部材５０の側部支持部５１に設けられた支持突部５４が、ケース３の側面壁部３ｄの内面に対向する。また、上部板ばね３０の側面対向部３１ａから外方へ突出する突出部３４も、ケース３の側面壁部３ｄの内面に対向する。支持部材５０の側部支持部５１に形成された支持突部５４を、ケース３の側面壁部３ｄの内面に対向させることで、ケース３の内部で支持部材５０を位置決めすることができる。さらに、上部板ばね３０の側面対向部３１ａから突出する突出部３４を側面壁部３ｄの内面に対向させることで、上部板ばね３０を、その平面視における中心がケース３の中心に一致できるように位置決めすることができる。
【００４９】
図８に示すように、上部板ばね３０に形成された突出部３４と、ケース３の側面壁部３ｄの内面との隙間（ｉ）は、支持部材５０に形成された支持突部５４と側面壁部３ｄの内面との隙間（ｉｉ）よりも狭くなっている。したがって、支持隆起部５６によって支持部材５０と上部板ばね３０とが組み合わされた状態で、主に、突出部３４と側面壁部３ｄとが対向しまたは当接することで、上部板ばね３０の中心とケース３の天井部３ａの中心との位置ずれを最小にできるように、上部板ばね３０が位置決めされる。また、これに倣うようにして支持部材５０も位置決めされる。
【００５０】
上部板ばね３０に設けられた突出部３４は、上部板ばね３０の側面対向部３１ａの両端部に設けられ、側面対向部３１ａの中央部に突出部３４が設けられていない。また、支持部材５０に設けられた支持突部５４も、側部支持部５１の両端部に設けられ、側部支持部５１の中央部に支持突部５４が設けられていない。したがって、図８に示すように、突出部３４が存在していない部分で、上部板ばね３０の側面対向部３１ａの外縁部３１ｃと側面壁部３ｄの内面との間に隙間δ２が形成されている。また、支持突部５４が存在していない部分で、支持部材５０の側部支持部５１の外辺部５１ｃと側面壁部３ｄの内面との間に隙間δ３が形成されている。
【００５１】
上部板ばね３０の側面対向部３１ａでは、少なくともその中央部に前記隙間δ２が形成され、支持部材５０の側部支持部５１でも、少なくとも中央部において前記δ３が形成されている。ケース３を形成するプレス加工では、角面壁部３ｅおよびその近傍に位置する側面壁部３ｄの両端部の寸法精度を比較的高くできるのに対し、側面壁部３ｄの中央部は比較的大きな公差を有し、平面度を出しにくい。一方で、上部板ばね３０はエッチング加工で形成され、支持部材５０は合成樹脂材料で射出成型されており、２つの部材は、共に寸法公差がきわめて小さく高精度に形成されている。そこで、突出部３４と支持突部５４を、ケース３の角面壁部３ｅに近い位置（側面壁部３ｄの両端部）に対向させまたは接触させ、側面対向部３１ａの中央部と側面壁部３ｄとの間に隙間δ２を形成し、側部支持部５１の中央部と側面壁部３ｄとの間に隙間δ３を形成することで、側面壁部３ｄの中央部における平面度の公差の大小にかかわらず、上部板ばね３０および支持部材５０を、ケース３の内部で高精度に位置決めすることが可能である。
【００５２】
ケース３の天井部３ａの内面と支持部材５０は接着剤で固定されており、支持部材５０と上部板ばね３０も接着剤で固定されている。したがって、上部板ばね３０は、少なくとも支持部材５０を介してケース３の内部に固定されたものとなる。図９に示すように、天井部３ａを重力が作用する下向き（Ｚ１方向を下向き）にした状態で、角面対向部３１ｂの両側の２か所に位置する突出部３４の間の領域Ｗで、上部板ばね３０の固定側支持部３１のＺ２側に向く面に、流動性を有する熱硬化性接着剤が供給される。好ましくは、図８に示すように、固定側支持部３１の側面対向部３１ａの両端部（突出部３４の外側）、または側面対向部３１ａと角面対向部３１ｂとの境界部において、Ｐａで示す塗布領域に接着剤が塗布される。塗布領域Ｐａは、支持部材５０に設けられたばね固定面５５に接近した位置で、さらに好ましくは、支持部材５０の側方に突出する支持突部５４と重複する領域に設定される。なお、接着剤は、一部がケース３の内面と接するように塗布される。
【００５３】
塗布領域Ｐａに塗布された接着剤は、領域Ｗにおいて、上部板ばね３０の外縁部とケース３の内面との隙間δａに入り込み、ケース３の内面と支持部材５０との間に接着剤が入り込む。さらに、接着剤は、支持部材５０に形成された支持突部５４に受け止められ、支持部材５０のばね固定面５５と、上部板ばね３０の側面対向部３１ａとの間に、毛細管現象で浸透する。塗布領域Ｐａに塗布された接着剤は、ケース３の内面と支持部材５０との間、およびばね固定面５５と側面対向部３１ａとの間、さらには前記隙間δａ内に存在する。後に磁石をケース３内に固定するのと同じ加熱工程で接着剤が加熱され、接着剤が熱硬化させられる。
【００５４】
図８に示すように、上部板ばね３０では、固定側支持部３１の側面対向部３１ａから弾性腕部３３が延び出ている。側面対向部３１ａから弾性腕部３３が延び出ている部分、すなわち弾性腕部３３の根元または側面対向部３１ａと弾性腕部３３との境界部３３ａが位置している部分において、側面対向部３１ａが、ばね固定面５５に接着剤で固定されている。図８では、接着剤で固定されている部分が破線のハッチングで示されている。弾性腕部３３の根元または側面対向部３１ａと弾性腕部３３との境界部３３ａが存在する部分で、側面対向部３１ａがばね固定面５５に接着固定されているため、弾性腕部３３は、前記境界部３３ａを支点として変形できるようになり、弾性腕部３３の弾性変形により側面対向部３１ａに捩じり変形が生じるなどの問題が生じなくなる。
【００５５】
しかも、弾性腕部３３は、そのほぼ全長にわたって、ばね固定面５５に重ねられていないため、ばね固定面５５と側面対向部３１ａとの間の接着剤が弾性腕部３３に付着しづらくなり、弾性腕部３３の弾性係数が接着剤の付着で変動するなどの問題が生じなくなる。
【００５６】
図２と図６に示すように、レンズ駆動装置１には４個の磁石Ｍが設けられている。４個の磁石Ｍはそれぞれ独立して形成されている。それぞれの磁石Ｍは、光軸Ｏを中心とした半径方向の外側に向けられた外側面Ｍａと、光軸Ｏに向く着磁面Ｍｇを有している。外側面Ｍａと着磁面Ｍｇとの間に互いに傾斜して対向する接着面Ｍｂが形成されている。それぞれの磁石Ｍは、Ｚ１方向に向く平坦な上面Ｍｃを有している。それぞれの磁石Ｍは、着磁面Ｍｇと外側面Ｍａとが互いに異なる極性となるように着磁されている。また、全ての磁石Ｍの着磁面Ｍｇは同じ極性となるように着磁されている。
【００５７】
４個の磁石Ｍは、それぞれ、ケース３の内部で、角面壁部３ｅの内側に配置される。図９に示すように、ケース３の、角面壁部３ｅを挟んだ両側に位置する側面壁部３ｄの内面の塗布領域Ｐｂに、流動性を有する熱硬化性の接着剤を塗布し、磁石Ｍの接着面Ｍｂを９０度の角度で対向する側面壁部３ｄの内面に磁気吸着させる。磁石Ｍとケース３との間に接着剤が介在した状態で、それぞれの磁石Ｍを、Ｚ１方向へ移動させ、Ｚ１方向に向く上面Ｍｃを、支持部材５０の角部支持部５２に形成された磁石当接部５７に当接させる。その結果、それぞれの磁石Ｍは、着磁面Ｍｇが光軸Ｏに向けられた状態で、光軸Ｏ方向の同じ位置に固定されるように位置決めされる。
【００５８】
ケース３の内部に支持部材５０と上部板ばね３０および磁石Ｍが組み込まれた状態で、加熱工程に移行する。図８に示す塗布領域Ｐａに塗布されて、ケース３の内面と支持部材５０との間に介在し、ばね固定面５５と側面対向部３１ａとの間に介在し、さらに隙間δａ内に介在している接着剤と、図９に示す塗布領域Ｐｂに塗布されてケース３の内面と磁石Ｍとの間に介在する接着剤が、全て同じ加熱工程で同時に硬化させられる。
【００５９】
図５と図６に示すように、上部板ばね３０の弾性腕部３３の少なくとも一部が、磁石Ｍの上面Ｍｃと重なっているため、ケース３の角部の内部のスペースを有効に使用できるようになる。しかも、支持部材５０の角部支持部５２に設けられた磁石当接部５７は、上部板ばね３０の弾性腕部３３よりもＺ２側に位置しているため、弾性腕部３３の少なくとも一部と、磁石Ｍの上面Ｍｃとが重なっていても、弾性腕部３３のＺ方向の変形動作の際に、弾性腕部３３と磁石Ｍとが接触するのを避けることができる。すなわち、磁石Ｍと弾性腕部３３の少なくとも一部は、互いに離れた状態で、光軸Ｏと平行な方向（Ｚ１−Ｚ２方向）において、対向したものとなっている。
【００６０】
ケース３に、支持部材５０と上部板ばね３０および磁石Ｍが組み込まれた後に、ケース３内に、図２に示す組立体７０が組み付けられる。図３に組立体７０の分解斜視図が示されている。
【００６１】
図３に示すように、支持基台４０とその上に位置するレンズ保持部材１０との間に、互いに分離された一対の下部板ばね２０Ａ，２０Ｂが設けられている。Ｙ１側に位置する下部板ばねを符号２０Ａで表し、Ｙ２側に位置する下部板ばねを符号２０Ｂで表している。下部板ばね２０Ａ，２０Ｂのそれぞれは、固定側支持部２１と、可動側支持部２２、および固定側支持部２１と可動側支持部２２とを繋ぐ弾性腕部２３とが、導電性を有する板ばね金属材料で一体に形成されている。例えば、下部板ばね２０Ａ，２０Ｂは、ばね性のステンレス鋼板やリン青銅板などで形成されている。下部板ばね２０Ａ，２０Ｂはエッチング加工で形成されている。下部板ばね２０Ａ，２０Ｂは、上部板ばね３０と同様に、レンズ駆動装置１が組み立てられた状態において、厚さ方向が光軸方向となるように配置される。
【００６２】
図３に示すように、Ｙ１側に位置する下部板ばね２０Ａの固定側支持部２１に、Ｘ２側に位置する取付け部２１ａとＸ１側に位置する取付け部２１ｂとが形成されている。Ｙ２側に位置する下部板ばね２０Ｂの固定側支持部２１も、Ｘ２側に位置する取付け部２１ａとＸ１側に位置する取付け部２１ｂとが形成されている。下部板ばね２０Ａ，２０Ｂは、それぞれＸ２側に位置する取付け部２１ａに取付け穴２４ａが形成され、Ｘ１側に位置する取付け部２１ｂに取付け穴２４ｂが形成されている。
【００６３】
図２と図３に示すように、Ｙ１側に位置する下部板ばね２０ＡのＸ２側の取付け部２１ａの上側（Ｚ１側）に、導電板２５Ａが重ねられ、Ｙ２側に位置する下部板ばね２０ＢのＸ２側の取付け部２１ａの上側（Ｚ１側）に、導電板２５Ｂが重ねられる。導電板２５Ａ，２５Ｂは、導電性の金属板で形成されており、例えば、表面が金メッキされた圧延鋼板や、黄銅その他の銅合金の板材で形成されている。導電板２５Ａ，２５Ｂは、Ｘ−Ｙ平面と平行な支持板部２６と、支持板部２６から下方であるＺ２側へ折り曲げられた接続端子２７とを有している。支持板部２６に穴部２８が形成されている。
【００６４】
下部板ばね２０Ａの取付け部２１ａと導電板２５Ａの支持板部２６とが位置決めされて重ねられた状態で、取付け部２１ａと支持板部２６とが溶接される。この溶接はレーザスポット溶接によって行われる。Ｙ２側の下部板ばね２０Ｂの取付け部２１ａと、導電板２５Ｂの支持板部２６も同様にして溶接される。
【００６５】
図３に示すように、支持基台４０は、平面形状が四角形状であり、非磁性材料である合成樹脂材料で形成されている。支持基台４０の４箇所の角部の上に、ばね固定面４１Ａ，４１Ｂが形成されている。Ｘ２側に位置する２か所のばね固定面を符号４１Ａで表し、Ｘ１側に位置する２か所のばね固定面を符号４１Ｂで表している。Ｘ２側に位置する２か所のばね固定面４１Ａに位置決め突起４２ａが一体に形成され、Ｘ１側に位置する２か所のばね固定面４１Ｂに位置決め突起４２ｂが一体に形成されている。位置決め突起４２ａ，４２ｂは、Ｚ１方向に向けて突出している。位置決め突起４２ａと位置決め突起４２ｂは、それぞれが一定の半径を有する円柱体である。
【００６６】
図３に示すように、支持基台４０には、Ｘ２側に形成されているばね固定面４１Ａに隣接する位置に貫通穴４３が形成されている。貫通穴４３は、支持基台４０のＸ２側に向く側辺４０ｃと、それぞれのばね固定面４１Ａとの間に形成されている。貫通穴４３は、支持基台４０を上下方向（Ｚ１−Ｚ２方向）に貫通して形成されている。
【００６７】
下部板ばね２０Ａ，２０ＢのＸ２側の取付け部２１ａに各導電板２５Ａ，２５Ｂの支持板部２６が重ねられて溶接された状態で、それぞれの取付け部２１ａに形成された取付け穴２４ａと、それぞれの支持板部２６に形成された穴部２８とに、支持基台４０の２か所のばね固定面４１Ａに設けられた位置決め突起４２ａが挿通されて、それぞれの取付け部２１ａと支持板部２６がばね固定面４１Ａの上に重ねられて位置決めされる。また、下部板ばね２０Ａ，２０ＢのＸ１側の取付け部２１ｂに形成されたそれぞれの取付け穴２４ｂに、２か所のばね固定面４１Ｂに設けられた位置決め突起４２ｂが挿通されて、それぞれの取付け部２１ｂが、ばね固定面４１Ｂに設置されて位置決めされる。
【００６８】
支持基台４０に設けられたそれぞれの位置決め突起４２ａ，４２ｂに接着剤が塗布され、接着剤の熱硬化またはＵＶ硬化により、支持基台４０と、下部板ばね２０Ａ，２０Ｂのそれぞれの取付け部２１ａ，２１ｂとが接着固定される。また、下部板ばね２０Ａ，２０Ｂのそれぞれの取付け部２１ａと導電板２５Ａ，２５Ｂも互いに接着される。なお、４か所の位置決め突起４２ａ，４２ｂの先部を加熱プレスし、位置決め突起４２ａ，４２ｂの先部に、かしめ変形部を形成して、支持基台４０上に下部板ばね２０Ａ，２０Ｂと導電板２５Ａ，２５Ｂをかしめ固定してもよい。
【００６９】
導電板２５Ａ，２５Ｂが支持基台４０の上に固定されるときに、導電板２５Ａ，２５Ｂと一体の接続端子２７が、支持基台４０に形成された貫通穴４３の内部に差し込まれ、接続端子２７のＺ２側の先部が、支持基台４０の下面よりもさらに下側に露出する。このときに、貫通穴４３の内部に接着剤を充填することにより、支持基台４０に導電板２５Ａ，２５Ｂを強固に固定できるようになり、しかも、接着剤で貫通穴４３を塞いで、支持基台４０の下側から貫通穴４３を通じてケース３の内部に液体などが浸入するのを防止しやすくなる。
【００７０】
図３に示すように、支持基台４０には中央部に開口部４４が形成されている。また支持基台４０のＺ１方向に向く上面に、ストッパ部４５ａ，４５ｂが一体に形成されている。ストッパ部４５ａは、下部板ばね２０Ａ，２０Ｂの固定側支持部２１と可動側支持部２２との間の空間２９内に位置し、図５に示すように、ストッパ部４５ａの上面は、下部板ばね２０Ａ，２０Ｂの固定側支持部２１の上面とほぼ同一平面となるように一致している。ストッパ部４５ｂは、２つの下部板ばね２０Ａ，２０Ｂの間に位置しており、ストッパ部４５ｂの上面も、下部板ばね２０Ａ，２０Ｂの固定側支持部２１の上面とほぼ同一平面に位置している。
【００７１】
図３に示すように、それぞれの下部板ばね２０Ａ，２０Ｂの可動側支持部２２には、Ｘ１側とＸ２側に、それぞれ取付け穴２２ａが形成されている。図４の底面図に示すように、レンズ保持部材１０のＺ２方向に向けられた下面では、Ｘ１側とＸ２側にばね固定面１０ｂが設けられている。それぞれのばね固定面１０ｂでは、Ｙ１側にＺ２方向へ突出する一対の突起１０ｃが一体に形成され、Ｙ２側にＺ２方向に突出する一対の突起１０ｄが一体に形成されている。Ｙ１側の下部板ばね２０Ａの可動側支持部２２の両端に形成された取付け穴２２ａを、突起１０ｃに嵌合させ、それぞれの前記突起１０ｃを熱かしめすることで、下部板ばね２０Ａの可動側支持部２２が、レンズ保持部材１０の下面の２か所のばね固定面１０ｂに固定される。同様に、Ｙ２側の下部板ばね２０Ｂの両端に形成された取付け穴２２ａを、それぞれの前記突起１０ｄに嵌合して熱かしめすることで、この下部板ばね２０Ｂの可動側支持部２２が２か所のばね固定面１０ｂに固定される。
【００７２】
下部板ばね２０Ａ，２０Ｂは、支持基台４０にほぼ同一平面となるように形成されたばね固定面４１Ａ，４１Ｂに固定されて平面度が高く維持されているため、下部板ばね２０Ａ，２０Ｂの可動側支持部２２で支持されているレンズ保持部材１０は、筒状部１３の中心軸と一致する光軸Ｏの傾きを抑制でき、光軸Ｏのばね固定面４１Ａ，４１Ｂに沿った平面（Ｘ−Ｙ平面）に対する垂直度を高い精度に設定することができる。
【００７３】
図３に示すように、レンズ保持部材１０の筒状部１３の外側部には、Ｚ２側にフランジ部１１が形成され、Ｚ１側に複数の規制突部１２が形成されている。フランジ部１１は、光軸Ｏを中心とする周回方向にほぼ連続して延びる鍔形状であってもよいし、周回方向に間欠的に形成されていてもよい。規制突部１２は周回方向に間隔を空けて形成されている。フランジ部１１と複数の規制突部１２は、光軸方向（Ｚ１−Ｚ２方向）に対向している。
【００７４】
図４の底面図に示すように、レンズ保持部材１０のＺ２方向に向く底面の２か所に、突起１９ａ，１９ｂが一体に形成されている。突起１９ａ，１９ｂはＺ２方向に向けて突出している。Ｙ１側に位置する突起１９ａは、コイル６０を形成する導線の巻き始端６１ａを固定する巻き付け突起であり、Ｙ２側に位置する突起１９ｂは、導線の巻き終端６１ｂを固定する巻き付け突起である。コイル６０を形成するための導線は被覆導線であり、導電性の金属線である銅線と、銅線を被覆する絶縁性の被覆層とを有している。被覆層は銅線を被覆するポリウレタン樹脂などの絶縁層と、その表面のポリアミド樹脂などの融着層の二層構造である。
【００７５】
導線の巻き始端６１ａで被覆層が除去されて、巻き始端６１ａが、図４に示すＹ１側の突起１９ａに巻き付けられる。突起１９ａから延びる導線は、レンズ保持部材１０の筒状部１３の外側部で、フランジ部１１と規制突部１２との間に巻き付けられる。巻き付け工程で、熱風が与えられるなどして導線が加熱され、融着層の溶融によって絶縁層どうしが融着接合されてコイル６０が形成される。コイル６０を巻き終わった導線の巻き終端６１ｂは、レンズ保持部材１０の下面に引き出され、被覆層が除去されて、図４に示すＹ２側の突起１９ｂに巻き付けられる。
【００７６】
図４に示すように、レンズ保持部材１０の下面のばね固定面１０ｂ，１０ｂに、下部板ばね２０Ａ，２０Ｂの可動側支持部２２が固定されると、Ｙ１側の突起１９ａに巻かれている導線の巻き始端６１ａが、Ｙ１側の下部板ばね２０Ａの可動側支持部２２に隣接し、巻き始端６１ａと可動側支持部２２とが半田付けされる。Ｙ２側の突起１９ｂに巻かれている導線の巻き終端６１ｂと、Ｙ２側の下部板ばね２０Ｂの可動側支持部２２も互いに隣接した状態となって半田付けされる。その結果、一方の下部板ばね２０Ａが導線の巻き始端６１ａに導通し、他方の下部板ばね２０Ｂが巻き終端６１ｂに導通する。
【００７７】
図３に示すように、Ｙ１側の下部板ばね２０Ａの取付け部２１ａに導電板２５Ａが重ねられて接合され、Ｙ２側の下部板ばね２０Ｂの取付け部２１ａに導電板２５Ｂが重ねられて接合されているため、導電板２５Ａの接続端子２７は、Ｙ１側の下部板ばね２０Ａを介して、コイル６０の巻き始端６１ａに導通し、導電板２５Ｂの接続端子２７は、Ｙ２側の下部板ばね２０Ｂを介して。コイル６０の巻き終端６１ｂに導通している。
【００７８】
図２と図３に示すように、レンズ保持部材１０の筒状部１３のＺ１方向に向く上面にばね固定面１０ａが設けられている。ケース３の内部に、支持部材５０と上部板ばね３０および磁石Ｍが固定された後に、コイル６０が巻かれたレンズ保持部材１０と下部板ばね２０Ａ，２０Ｂと支持基台４０とが組み付けられた組立体７０が、ケース３の内部に下方から挿入される。レンズ保持部材１０のばね固定面１０ａが、ケース３の内部で、上部板ばね３０の可動側支持部３２の下側に突き当てられ、ばね固定面１０ａと可動側支持部３２とが接着剤で固定される。また、支持基台４０とケース３も互いに固定される。
【００７９】
図２と図３に示すように、レンズ保持部材１０の外側部の規制突部１２が存在していない部分で、レンズ保持部材１０の筒状部１３の外面と、コイル６０との間に隙間（Ｓ）が形成される。隙間（Ｓ）は、レンズ保持部材１０の外側部の４か所に形成されている。レンズ保持部材１０がケース３の内部に収納されて、レンズ保持部材１０の上端部と上部板ばね３０の可動側支持部３２とが固定されると、ケース３の開口部３ｂの周囲の４か所から下向きに折り曲げられた対向ヨーク部３ｃが、前記隙間（Ｓ）の内部に入り込む。よって、コイル６０の外側に磁石Ｍの着磁面Ｍｇが対向し、コイル６０の内側に対向ヨーク部３ｃが対向する。
【００８０】
図３に示すように、下部板ばね２０Ａ，２０Ｂに設けられた弾性腕部２３は、細い湾曲形状すなわち蛇行形状に成形されており、図２に示すように、上部板ばね３０に設けられた弾性腕部３３も、細い湾曲形状すなわち蛇行形状に成形されている。レンズ保持部材１０の下端と、支持基台４０とが、下部板ばね２０Ａ，２０Ｂを介して連結され、レンズ保持部材１０の筒状部１３の上端と、ケース３に固定された支持部材５０とが上部板ばね３０を介して連結される。下部板ばね２０Ａ，２０Ｂの弾性腕部２３と上部板ばね３０の弾性腕部３３の双方の弾性支持力によって、レンズ保持部材１０が、ケース３の内部で、光軸方向であるＺ１−Ｚ２方向へ移動自在に支持される。
【００８１】
次に、上記構造のレンズ駆動装置１およびこれを使用したカメラモジュールの動作を説明する。
図５に示すように、コイル６０に駆動電流が与えられていないときは、下部板ばね２０Ａ，２０Ｂと上部板ばね３０とで、レンズ保持部材１０がＺ２方向へ付勢され、レンズ保持部材１０のＺ２方向に向く下面が、支持基台４０のストッパ部４５ａ，４５ｂに当たった下降姿勢で安定している。
【００８２】
支持基台４０から突出する接続端子２７，２７に駆動電流が与えられると、駆動電流は、一対の下部板ばね２０Ａ，２０Ｂを通じて、巻き始端６１ａと巻き終端６１ｂとの間のコイル６０に流れる。コイル６０に流れる駆動電流と、磁石Ｍから発生する磁界とによる電磁力で、レンズ保持部材１０が光軸方向（Ｚ１方向）へ駆動される。このレンズ保持部材１０の動作によって、レンズ保持部材１０に保持されたレンズ体で撮像素子に結像される像の焦点が合わせられる。
【００８３】
次に、図７以降の図面を参照して、レンズ駆動装置１の製造方法を説明する。
図９に示すように、ケース３は天井部３ａが設けられているＺ１方向を重力に向く上下逆向きの姿勢とし、天井部３ａの内側（Ｚ２側）に支持部材５０と上部板ばね３０を設置する。支持部材５０の角部支持部５２に形成された支持隆起部５６を、上部板ばね３０の角面対向部３１ｂと弾性腕部３３との間に挿入することで、支持部材５０と上部板ばね３０とを互いに位置決めして組み合わせることができる。この設置工程（配置工程）において、支持部材５０と上部板ばね３０は、互いに組み合わせた状態でケース３の内部に設置してもよいし、支持部材５０を先にケース３内に設置し、次に上部板ばね３０をケース３内に設置してもよい。なお、ケース３内に設置された上部板ばね３０は、側面対向部３１ａが支持部材５０に形成されたばね固定面５５に当接した状態で支持される。
【００８４】
上部板ばね３０の側面対向部３１ａの両端部において、その外縁部３１ｃから突出部３４が突出しており、支持部材５０の側部支持部５１の両端部においても、その外辺部５１ｃから支持突部５４が突出している。突出部３４と支持突部５４を、ケース３の側面壁部３ｄの内面に対向させまたは接触させることで、支持部材５０と上部板ばね３０とをケース３のＺ２側から見た平面視における中心に対して位置決めする。図８に示すように、上部板ばね３０に設けられた突出部３４と側面壁部３ｄの内面との隙間（ｉ）が、支持部材５０に設けられた支持突部５４と側面壁部３ｄの内面との隙間（ｉｉ）よりも狭いため、主として突出部３４と側面壁部３ｄの内面との対向により、上部板ばね３０が位置決めされ、これに倣って支持部材５０も位置決めされる。
【００８５】
上部板ばね３０の側面対向部３１ａの中央部では、その外縁部３１ｃと側面壁部３ｄの内面との間に隙間δ２が形成され、支持部材５０の側部支持部５１の中央部で、その外辺部５１ｃと側面壁部３ｄの内面との間に隙間δ３が形成されている。この隙間δ２，δ３で、ケース３の側面壁部３ｄの中央部における平面度の公差を吸収でき、側面壁部３ｄの中央部の平面度に公差があっても、上部板ばね３０と支持部材５０を、ケース３の角面壁部３ｅに近い側面壁部３ｄの両端部の内面を基準にして位置決めすることができる。
【００８６】
次に、図８に示す塗布領域Ｐａに流動性のある熱硬化性接着剤を塗布する。接着剤は、上部板ばね３０の外縁部とケース３の内面との隙間δａ内に入り、重力で流れ落ちて、支持部材５０のケース当接部５３と天井部３ａとの間に入り込む。また、接着剤は、前記隙間δａを流れ落ち、毛細管現象で、支持部材５０のばね固定面５５と、上部板ばね３０の側面対向部３１ａとの間に入り込む。また接着剤の一部は前記隙間δａ内に残るようになる。
【００８７】
次に、図９に示すように、ケース３の側面壁部３ｄの内面、または側面壁部３ｄと角面壁部３ｅの境界付近の内面において、塗布領域Ｐｂに流動性のある熱硬化性接着剤を塗布する。４個の磁石Ｍのそれぞれを、接着面Ｍｂを側面壁部３ｄの内面に磁気吸着させることで、４か所の角面壁部３ｅに設置でき、接着面Ｍｂとケース３の内面との間に接着剤が介在する。４個の磁石Ｍは，その上面Ｍｃを、支持部材５０の角部支持部５２に形成された磁石当接部５７に当接させてケース３内で位置決めする。なお、本実施の形態では、塗布領域Ｐａに塗布する接着剤と、塗布領域Ｐｂに塗布する接着剤とで同じものを使用しているが、異なる接着剤を用いることも可能である。
【００８８】
その後に、加熱工程に移行し、ケース３と支持部材５０との間、支持部材５０のばね固定面５５と上部板ばね３０の側面対向部３１ａとの間、さらには隙間δａ内に位置する接着剤、および磁石Ｍとケース３の内面との間に介在する接着剤を、全て同時に熱硬化させる。これにより、図６に示すように、ケース３の内部に、支持部材５０と上部板ばね３０の固定側支持部３１、および４個の磁石Ｍが固定される。
【００８９】
なお、同じ接着剤の塗布工程（供給工程）で、ケース３と支持部材５０との間、支持部材５０のばね固定面５５と上部板ばね３０の側面対向部３１ａとの間、および隙間δａ内、さらに磁石Ｍとケース３の内面との間に、接着剤を供給してもよい。例えば、図９に示す塗布領域Ｐｂに流動性のある接着剤を多めに塗布しておく。ケース３の内面に磁石Ｍを磁気吸着させ、その磁石Ｍを天井部３ａに向けて磁石当接部５７に当接するまで摺動させる。このときの磁石Ｍの移動力で、塗布領域Ｐｂに塗布した接着剤を、図８に示す領域Ｗにおいて、上部板ばね３０とケース３の内面との隙間δａに流し落とし、接着剤を、ケース３と支持部材５０との間、およびばね固定面５５と上部板ばね３０の側面対向部３１ａとの間に供給する。そして加熱工程へ移行する。なお、加熱工程の後に、ケース３の開放されたＺ２側が重力の作用する方向を向くように、ケース３の姿勢を変えることが好ましい。
【００９０】
次に、図２に示すように、支持基台４０と、下部板ばね２０Ａ，２０Ｂと、導電板２５Ａ，２５Ｂと、レンズ保持部材１０およびコイル６０が組み合わされた組立体７０を、支持部材５０と上部板ばね３０および磁石Ｍが固定されたケース３内に下側（Ｚ２側）から挿入する。あるいは、組立体７０にケース３を被せて、両者を組み合わせる。そして、レンズ保持部材１０の上向きのばね固定面１０ａを上部板ばね３０の可動側支持部３２の下側に突き当てて、ばね固定面１０ａと可動側支持部３２とを接着剤で固定する。また、支持基台４０とケース３も接着剤によって互いに固定し、レンズ駆動装置１が完成する。
【００９１】
なお、前記実施の形態は、図４に示すように、コイル６０を構成する導線の巻き始端６１ａと巻き終端６１ｂが、レンズ保持部材１０の下面の突起１９ａ，１９ｂに巻き付けられ、この巻き付けられた部分と、下部板ばね２０Ａ，２０Ｂとが半田付けされて導通されている。ただし、本発明は、コイル６０から延びる導線の巻き始端６１ａと巻き終端６１ｂとが、直接にそれぞれの下部板ばね２０Ａ，２０Ｂに半田付けや導電性接着剤によって接続されている構造であってもよい。
【符号の説明】
【００９２】
１  レンズ駆動装置
３  ケース
３ａ  天井部
３ｂ  開口部
３ｄ  側面壁部
３ｅ  角面壁部
１０  レンズ保持部材
２０Ａ，２０Ｂ  下部板ばね
２１  固定側支持部
２２  可動側支持部
２３  弾性腕部
３０  上部板ばね
３１  固定側支持部
３１ａ  側面対向部
３１ｂ  角面対向部
３２  可動側支持部
３３  弾性腕部
３３ａ  境界部
３４  突出部
４０  支持基台
５０  支持部材
５１  側部支持部
５２  角部支持部
５３  ケース当接部
５４  支持突部
５５  ばね固定面
５７  磁石当接部
６０  コイル
Ｍ  磁石
Ｏ  光軸
【図１】
2019003149.tif 000003
【図２】
2019003149.tif 000004
【図３】
2019003149.tif 000005
【図４】
2019003149.tif 000006
【図５】
2019003149.tif 000007
【図６】
2019003149.tif 000008
【図７】
2019003149.tif 000009
【図８】
2019003149.tif 000010
【図９】
2019003149.tif 000011